(57)【要約】      （修正有）【課題】天然木目効果を備えるだけでなく、使用において好ましい耐久性を有することができる擬木板材を提供する。【解決手段】擬木板材は一つの板材１０及び少なくとも一つの塗装層２０を含む。前記板材は一定の長さを有するウッドプラスチック基材であり、前記板材には少なくとも一つの外表面１１を備え、前記板材は押出成形によるもので、前記外表面に間隔のある複数の凹状部１２を設け、前記外表面に木目模様１２１を形成する。塗装層２０は前記板材に設け、前記塗装層は木目図案２１を少なくとも一つの前記外表面に付着する。【選択図】図４
0003189874.tif 000002
【実用新案登録請求の範囲】
【請求項１】
一つの板材及び少なくとも一つの塗装層を含む擬木板材であって、
前記板材は、一定の長さを有するウッドプラスチック基材であり、前記板材には少なくとも一つの外表面を備え、
少なくとも一つの塗装層は、前記板材に設け、前記塗装層は木目図案を少なくとも一つの前記外表面に付着することを特徴とする擬木板材。
【請求項２】
前記板材は押出成形によるものであり、前記外表面に間隔のある複数の凹状部を設け、前記外表面に木目模様を形成することを特徴とする請求項１に記載の擬木板材。
【請求項３】
前記板材の複数の凹状部にはさらにローリング加工を施して、前記外表面に木目凹状部を形成することを特徴とする請求項２に記載の擬木板材。
【請求項４】
前記板材は中実のウッドプラスチック基材であることを特徴とする請求項１或いは２に記載の擬木板材。
【請求項５】
前記板材には少なくとも一つの貫通穴を設けることを特徴とする請求項１或いは２に記載の擬木板材。
【請求項６】
前記塗装層は前記板材にコーティングし、尚且つＵＶ硬化により形成することを特徴とする請求項５に記載の擬木板材。
【請求項７】
前記塗装層はシルクスクリーン印刷方式を用いて前記板材に形成することを特徴とする請求項５に記載の擬木板材。
【請求項８】
前記塗装層は前記板材と別の側に保護層を設けることを特徴とする請求項５に記載の擬木板材。
【請求項９】
前記保護層は木を保護する塗料、或いは透明塗料であることを特徴とする請求項８に記載の擬木板材。
【請求項１０】
前記板材はケイ酸カルシウム板、或いは石膏板の材質であることを特徴とする請求項５に記載の擬木板材。
【考案の詳細な説明】
【技術分野】
【０００１】
本考案は、一種の板材に関し、特に木質模様を表現できるウッドプラスチックである耐久性の高い擬木板材を提供する。
【背景技術】
【０００２】
工業革命以来、科学技術は一日千里を走る馬の如く急速な発展を遂げた。特に、近年においてはパソコン使用の普及によって情報革命を引き起こし、それと同時に通信革命が起きた。これによって、千里間の情報もわずか一瞬の間に取得することができるため、人々の活動は益々不精になるとともに、空間の品質がより重視され、居住空間の内装やオフィス、お店の装飾に巨額な費用がかけられるようになった。この様な巨額な消費能力によって、建材、装飾素材業が促進され発展を遂げた。従来の床や壁に用いられる建材は、大理石、花崗岩、タイル、ブロック等のコンクリートや石製品であり、それを装飾に使用すると寛大な雰囲気が醸し出されるが、冷たい感じを避けることはできない。人との関係が冷めていることに慣れはしているが内心では情熱を求める現代人にとって、前記材質は心の彷徨い、孤独感、寂しさを感じ易くなるものである。
【０００３】
そこで、現在はその他の装飾素材を用いて表面を装飾したり直接被せて装飾したりする人も続々に出て来た。用いられる装飾素材にはプラスチック製品、竹製品、及び木製品があり、その中でも木製品の人気が高い。その原因は、一つにその素材が簡単に手に入ること、二つ目にオリジナルの様相に最も近いこと、三つ目に平坦性が高いこと、四つ目に適度な硬度があり、掃除ができることにある。これにより、多くの消費者に広く愛されている。木材は台湾人に愛される内装材の一つであるが、近年、環境保護意識が高まる中で、木材はコスト高となり、木質板材は熱にさらされ水に浸かる時間が長すぎると変形を起こし、カビを生じさせ、色褪せる等の問題が起きている。
【０００４】
よって、産業界は環境保護及び資源リサイクルの理念のもと、次々に研究開発を加え、再生擬木を生み出した。それは、廃木材を粉砕機によって砕いた後に研磨機に入れて作られた細かい木粉と、プラスチック廃材を粉砕、カットした細かい粒とを適当な温度の中で溶解、混ぜ合わせ、高圧によって押出成形をして作られた再生擬木である。いかにこの再生擬木をより経済価値を備えた製品として製造するかが、現在業界で求められる研究課題である。
【考案の概要】
【考案が解決しようとする課題】
【０００５】
以上の研究課題に鑑み、本考案は、ウッドプラスチック基材によって木質模様を表現し、耐久性を備えた擬木板材の提供を主な目的とする。
【課題を解決するための手段】
【０００６】
前述の目的を達成するために、本考案の擬木板材は一つの板材及び少なくとも一つの塗装層を含む。前記板材は一定の長さを有するウッドプラスチック基材であり、前記板材には少なくとも一つの外表面を備え、前記板材は押出加工成形によって、前記外表面に間隔のある複数の凹状部を設け、前記外表面に木目模様を形成する。塗装層は前記板材に設け、前記塗装層は木目図案を少なくとも一つの前記外表面に付着し、これにより、天然木目効果を備えるだけでなく、使用において好ましい耐久性を有することができる。
【考案の効果】
【０００７】
本考案の擬木板材は、ウッドプラスチック基材によって木質模様を表現し、耐久性を備える効果を有する。
【図面の簡単な説明】
【０００８】
【図１】本考案の第一実施例による断面図である。
【図２】本考案の第一実施例による板材構造の組み合わせ図である。
【図３】本考案の第二実施例による分解図である。
【図４】本考案の第三実施例による分解図である。
【図５】本考案の第四実施例による組み合わせ図である。
【図６】本考案の第五実施例による板材構造の断面図である。
【考案を実施するための形態】
【０００９】
本考案の特徴について明確なご理解をいただくために、次に本考案の図面及び実施例を参照とした詳細説明を行なう。
【実施例】
【００１０】
図１には本考案の第一実施例による断面図を、図２には本考案の第一実施例による板材構造の組み合わせ図を示す。図中のとおり、本考案の擬木板材は一つの板材１０及び少なくとも一つの塗装層２０を含む。
【００１１】
板材１０は一定の長さを有するウッドプラスチック基材であり、前記板材１０には少なくとも一つの外表面１１を備え、前記板材１０はケイ酸カルシウム板、或いは石膏板の材質とし、前記板材１０には少なくとも一つの塗装層２０を設け、前記塗装層２０は木目図案２１をもって少なくとも一つの前記外表面１１に付着させる。図面の実施例に示したとおり、前記塗装層２０は前記板材１０の縦長の外表面１１に付着させる。前記塗装層２０の木目図案２１によって板材１０全体に天然木目効果が表現され、使用では好ましい耐久性を有する。
【００１２】
本考案の第二実施例は図３に示すとおりであり、前記板材１０は押出加工成形によって、前記外表面１１に間隔のある複数の凹状部１２を設け、前記外表面１１に木目模様を形成し、並びに、塗装層２０を前記板材１０の前記外表面１１に設ける。また、前記塗装層２０は木目図案２１を前記板材１０にコーティングし、さらにＵＶ硬化することで形成する。これにより、木目効果を備えるだけでなく、使用において好ましい耐久性を有することができる。当然ながら、前記塗装層２０はシルクスクリーン印刷方式を用いて前記板材１０に形成してもよく、天然木目を表現し、使用において好ましい耐久性を備えることができる。
【００１３】
本考案の第三実施は図４に示すとおり、前記板材１０は押出加工成形によるものであり、前記外表面１１には間隔のある複数の凹状部１２を備え、さらに、前記板材１０の複数の凹状部１２にはローリング加工を施して、前記外表面１１に立体模様を備えた木目凹状部１２１を形成し、並びに、塗装層２０を前記板材１０に設ける。また、前記塗装層２０は木目図案２１を前記板材１０にコーティングし、さらにＵＶ硬化することで形成する。これにより、同様に、天然立体木目効果が発揮される。
【００１４】
次に、前記板材１０は中実のウッドプラスチック基材であり、前記板材１０には少なくとも一つの貫通穴１３を設ける。図４に示すとおり、前記板材１０は間隔をあけた複数の貫通穴１３を備え、前記貫通穴１３間は間隔をあけて規則的に並ばせてある（不規則配列でもよい）。前記板材１０は貫通穴１３を用いて隔熱効果を発揮するだけでなく、製造材料を節約し減量効果を達成し、原料コストを削減することができる。当然ながら、前記板材１０には少なくとも一つの貫通穴１３を設けることで（図６参照）、同様に製造材料を節約し減量効果を達成し、原料コストを削減できる。
【００１５】
図５に示すとおり、前記塗装層２０は前記板材１０と別の側に保護層３０をコーティングする。前記保護層３０は木を保護する塗料であり、木を保護する塗料を前記塗装層２０にコーティングし、構造全体の強度及び表面の硬度を高める。或いは、前記保護層３０は透明塗料でもよく、木を保護する塗料を前記塗装層２０にコーティングし、構造全体の強度及び表面の硬度を高める。
【００１６】
上述したとおり、本考案は、実施可能な擬木板材を提供するものであり、ここに特許法に依拠して実用新案の出願を行う。本考案の技術内容及び技術特徴は既に前述したとおりであるが、本技術に熟知する者が本考案の開示に基づいて本考案の精髄から逸脱せずに代替及び修飾を行なうことは可能である。よって、本考案の保護範囲は実施例の開示に制限されず、本考案を逸脱しない各種代替及び修飾を含み、以下の実用新案登録請求の範囲を包含するものとする。
【符号の説明】
【００１７】
１０      板材
１１      外表面
１２      凹状部
１２１    木目凹状部
１３      貫通穴
２０      塗装層
２１      木目図案
３０      保護層
【図１】
0003189874.tif 000003
【図２】
0003189874.tif 000004
【図３】
0003189874.tif 000005
【図４】
0003189874.tif 000006
【図５】
0003189874.tif 000007
【図６】
0003189874.tif 000008